(57)【要約】【課題】  セパレータを１段構造にして軽量化すると共に、排除券を処理単位ごとに確実に区分することのできる紙葉類処理装置、排除券集積装置及び排除券集積方法を提供する。【解決手段】  最初に、区分カードＰｃ１が区分カード供給部３５から１枚集積羽根車３３Ａに供給される。区分カードＰｃ１は、ミニシャッタ３３Ｃ・３３Ｃ上に集積され、続く排除券Ｐｒがその上に集積される。１束の処理が終了すると、ミニシャッタが開になり、集積された排除紙葉類１がバックアッププレート３３Ｄの上に集積される。同時にセパレータ３４がミニシャッタ上に挿入される。ミニシャッタが閉じ、次の束の区分カードＰｃ２が供給され、セパレータの上に集積される。その後、セパレータが下降し、挿入されたシャッタ３３Ｆ・３３Ｆがバックアッププレート上の排除紙葉類１をカセット３３Ｅの中に押し込む。【選択図】  図２
2007310809.tif 000002
【特許請求の範囲】
【請求項１】
積層された紙葉類からなる複数の紙葉類群が供給された供給部から１枚ずつ取り出して搬送し、前記紙葉類を判別する紙葉類判別手段と、この紙葉類判別手段による判別の結果排除券と判別された前記紙葉類を区分搬送する搬送手段と、この搬送手段によって搬送された前記排除券を集積する排除券集積装置とを備えた紙葉類処理装置であって、
前記排除券集積装置は、
前記搬送手段によって搬送される前記排除券を取り込む集積羽根車と、
前記排除券を区分するための区分カードを前記集積羽根車に供給する区分カード供給手段と、
前記集積羽根車によって集積された前記排除券及び前記区分カードからなる排除紙葉類を一時的に集積して保持する第１のシャッタと、
この第１のシャッタの下方に配置され、この第１のシャッタに集積された前記排除紙葉類を収納する収納庫と、
前記第１のシャッタと前記集積羽根車の間に挿入配置することが可能なセパレータと、
前記第１シャッタと前記セパレータとの間に上下移動可能に挿入され、前記排除紙葉類を前記収納庫に押し込む第２のシャッタと、
先に処理する第１の紙葉類群から区分された第１の排除紙葉類と続けて処理する第２の紙葉類群から区分された第２の排除紙葉類とを前記区分カードで区分して前記収納庫に収納する区分制御手段と、
を備えたことを特徴とする紙葉類処理装置。
【請求項２】
紙葉類判別手段によって排除券と判別された排除紙葉類を区分搬送して集積する排除券集積装置であって、
前記搬送手段によって搬送される前記排除券を受取る集積羽根車と、
前記排除券を区分するための区分カードを前記集積羽根車に供給する区分カード供給手段と、
前記集積羽根車によって集積された前記排除券及び区分カードからなる排除紙葉類を一時的に集積して保持する第１のシャッタと、
この第１のシャッタの下方に配置され、この第１のシャッタに集積された前記排除紙葉類を収納する収納庫と、
前記第１のシャッタと前記集積羽根車の間に挿入配置することが可能なセパレータと、
前記第１シャッタと前記セパレータとの間に上下移動可能に挿入され、前記排除紙葉類を前記収納庫に押し込む第２のシャッタと、
先に処理する第１の紙葉類群から区分された第１の排除紙葉類と続けて処理する第２の紙葉類群から区分された第２の排除紙葉類とを前記区分カードで区分して前記収納庫に収納する区分制御手段と、
を備え、先に処理する第１の紙葉類群から区分された排除紙葉類と続けて処理する第２の紙葉類群から区分された排除紙葉類とを前記区分カードで区分する区分制御手段と、
を備えたことを特徴とする排除券集積装置。
【請求項３】
前記区分制御手段は、
前記第１の紙葉類群の処理終了時、前記第１のシャッタを開にすることにより前記第１のシャッタに集積された前記第１の排除紙葉類を前記収納庫に設けたバックアッププレートに集積すると同時に、前記セパレータを前記第１のシャッタと前記集積羽根車の間に挿入する制御を行い、前記第２の紙葉類群の処理によって生成される前記第２の排除紙葉類が前記第１の排除紙葉類の間に混入するのを防止することを特徴とする請求項２記載の排除券集積装置。
【請求項４】
前記区分制御手段はさらに、
前記セパレータを下降し、このセパレータと前記第１のシャッタとの間に前記第２のシャッタを挿入し、この第２のシャッタを下降することにより前記バックアッププレートに集積された前記排除紙葉類を前記収納庫に押し込むと共に、前記セパレータを初期位置に復帰させることを特徴とする請求項２又は請求項３記載の排除券集積装置。
【請求項５】
紙葉類判別手段によって排除券と判別された排除券及び区分カードを排除券集積装置に供給して処理する紙葉類群から区分された排除券を区分して集積する排除券集積装置の排除券集積方法であって、
この排除券集積装置の集積羽根車に区分カード供給手段から区分カードを供給し、前記集積羽根車の下方に配置された第１のシャッタに集積する第１工程と、
先に処理する第１の紙葉類群から区分された第１の排除券を前記羽根車集積装置に供給して前記第１のシャッタに集積された区分カードの上に続けて集積する第２工程と、
この第２工程の後、前記第１のシャッタを開にし、この第１のシャッタに集積された前記区分カード及び第１の排除券からなる第１の排除紙葉類を落下させ収納庫に設けられたバックアッププレート上に集積させる第３工程と、
この第３工程と同時に、前記集積羽根車と前記第１のシャッタの間にセパレータを挿入し、かつ前記第１のシャッタを閉にする第４工程と、
このセパレータ上に前記区分カード供給手段から区分カードを供給する第５工程と、
この第５工程の後、前記セパレータを下降し、前記第１のシャッタと前記セパレータとの間に第２のシャッタを挿入し、前記セパレータを初期位置に復帰する第６工程と、
この第６工程の後、前記第２のシャッタを下降させ前記バックアッププレートに集積された第１の排除紙葉類を前記収納庫に押し込むと共に、前記第１のシャッタを初期状態に復帰する第７工程と、
を備え、第7工程の後、続けて処理する第２の紙葉類群が有る場合には、前記第１の工程から第7の工程を繰り返すことを特徴とする排除券集積装置の排除券集積方法。
【発明の詳細な説明】
【技術分野】
【０００１】
本発明は、有価証券などの紙葉類を処理する紙葉類処理装置に関し、特にこの紙葉類処理装置で排除された排除券を集積する紙葉類処理装置、排除券集積装置及び排除券集積方法に関する。
【背景技術】
【０００２】
有価証券等の紙葉類を処理する紙葉類処理装置は、一括して投入された紙葉類を一定間隔ごとに１枚ずつ取り出して搬送し、紙葉類判別装置によって判別し、その判別結果に基づいて正券（再流通可能な正常な券）、損券（損傷があり最流通不可能な券）及び判別不能券、搬送異常券又は２枚取り券などの排除券に区分処理する装置である。
【０００３】
正券は、１００枚ごとに紙帯で結束されて把が形成され、必要に応じて１０把積み重ねてさらに紙帯で結束して束が形成される。損券は、紙葉類裁断装置に搬送されて裁断される。
【０００４】
排除券は、排除券集積庫に集積される場合と排除券集積装置に集積される場合がある。排除券集積庫は、取出し直後の搬送異常券や２枚取り券をさらに搬送するとその他の障害を発生する場合があるため、これらの紙葉類（券）を取出し直後に分岐して集積する集積庫である。排除券集積装置は、紙葉類判別装置によって判別不能券とされたもので、偽券や取扱い券以外の異種券を集積する集積装置である。
【０００５】
以上の紙葉類処理装置において処理される紙葉類は、各束単位にカセットに投入したものが一括して当該紙葉類処理装置に供給される。
【０００６】
この際、各束を処理した際に排除券集積装置に区分された排除券を束ごとに区分するために、各束の切れ目に区分カードを挿入する方法が知られている。図５に従来から行われている区分カードを挿入する方法を示す。
【０００７】
図５（１）は、排除券集積装置３３０に搬送された排除券Ｐｒが羽根車３３０Ａによって一時集積庫３３０Ｂに集積されている状態を示す。
【０００８】
図５（２）は、投入された束の排除券処理が終了したため、シャッタ３３０Ｆが開き排除券が落下する直前の状態を示す。
【０００９】
図５（３）は、当該処理を終了した第１の紙葉類群（束）の排除券Ｐｒ１と次に処理する第２の紙葉類群(束)の排除券Ｐｒ２を分離するために、セパレータ３４０が挿入された状態を示す。
【００１０】
図５（４）は、セパレータ３４０は、上段に区分カードＰｃが挿入される空間を有し、下段にはシャッタ３３０Ｆが挿入される空間を有する。図はセパレータ３４の下段にシャッタ３３０Ｆが挿入され、上段に区分カードＰｃが挿入される直前の状態を示す。
【００１１】
図５（５）は、区分カードＰｃ及びシャッタ３３０Ｆが挿入され、セパレータが取り除かれ、次の排除券Ｐｒ２がシャッタ３３０Ｃの上に集積されている状態を示す。
【００１２】
図５（６）は、シャッタ３３０Ｆを収納庫（カセット）３３０Ｅに押し下げることによって排除券Ｐｒ１がカセットに収納される。
【００１３】
以上の動作により、装置全体の処理を停止させないために、セパレータは高速で集積部を横断して券を区分し、その後に区分カード、シャッタ３３０Ｆを挿入することにより次の束の券がまざらないようにしている（例えば、特許文献１参照）。
【特許文献１】特開平５−１２０５１５号公報  （第４頁、図２）
【発明の開示】
【発明が解決しようとする課題】
【００１４】
しかしながら、特許文献１記載の紙葉類処理装置では、セパレータが２段階構造になっているため、重量が重くなり易い。しかしながら、セパレータは券の処理を停止させないために高速で動作する必要があるため軽量である必要がある。そのため、セパレータを１段構造にして軽量化すると共に、排除券を処理単位ごとに確実に区分することのできる紙葉類処理装置、排除券集積装置及び排除券集積方法を提供することを目的とする。
【課題を解決するための手段】
【００１５】
上記目的を達成するために、本発明の請求項１記載の紙葉類処理装置は、積層された紙葉類からなる複数の紙葉類群が供給された供給部から１枚ずつ取り出して搬送し、前記紙葉類を判別する紙葉類判別手段と、この紙葉類判別手段による判別の結果排除券と判別された前記紙葉類を区分搬送する搬送手段と、この搬送手段によって搬送された前記排除券を集積する排除券集積装置とを備えた紙葉類処理装置であって、前記排除券集積装置は、前記搬送手段によって搬送される前記排除券を受取る集積羽根車と、前記排除券を区分するための区分カードを前記集積羽根車に供給する区分カード供給手段と、前記集積羽根車によって集積された前記排除券及び前記区分カードからなる排除紙葉類を一時的に集積して保持する第１のシャッタと、この第１のシャッタの下方に配置され、この第１のシャッタに集積された前記排除紙葉類を収納する収納庫と、前記第１のシャッタと前記集積羽根車の間に挿入配置することが可能なセパレータと、を備え、先に処理する前記紙葉類群からなる第１の紙葉類群から区分された第１の排除紙葉類と続けて処理する前期紙葉類群からなる第２の紙葉類群から区分された第２の排除紙葉類とを前記区分カードで区分する区分制御手段と、を備えたことを特徴とする。
【００１６】
また、本発明の請求項２記載の排除券集積装置は、紙葉類判別手段によって排除券と判別された排除紙葉類を区分搬送し集積する排除券集積装置であって、前記搬送手段によって搬送される前記排除券を受取る集積羽根車と、前記排除券を区分するための区分カードを前記集積羽根車に供給する区分カード供給手段と、前記集積羽根車によって集積された前記排除券及び区分カードからなる排除紙葉類を一時的に集積して保持する第１のシャッタと、この第１のシャッタの下方に配置され、この第１のシャッタに集積された前記排除紙葉類を収納する収納庫と、前記第１のシャッタと前記集積羽根車の間に挿入配置することが可能なセパレータと、を備え、先に処理する第１の紙葉類群から区分された排除紙葉類と続けて処理する第２の紙葉類群から区分された排除紙葉類とを前記区分カードで区分する区分制御手段と、を備えたことを特徴とする。
【００１７】
さらに、本発明の請求項５記載の排除券集積装置の排除券集積方法は、紙葉類判別手段によって排除券と判別された排除券及び区分カードを排除券集積装置に供給して処理する紙葉類群から区分された排除券を区分して集積する排除券集積装置の排除券集積方法であって、この排除券集積装置の集積羽根車に区分カード供給手段から区分カードを供給し、前記集積羽根車の下方に配置された第１のシャッタに集積する第１工程と、先に処理する第１の紙葉類群から区分された第１の排除券を前記羽根車集積装置に供給して前記第１のシャッタに集積された区分カードの上に続けて集積する第２工程と、この第２工程の後、前記第１のシャッタを開にし、この第１のシャッタに集積された前記区分カード及び第１の排除券からなる第１の排除紙葉類を落下させ収納庫に設けられたバックアッププレート上に集積させる第３工程と、この第３工程と同時に、前記集積羽根車と前記第１のシャッタの間にセパレータを挿入し、かつ前記第１のシャッタを閉にする第４工程と、このセパレータ上に前記区分カード供給手段から区分カードを供給する第５工程と、この第５工程の後、前記セパレータを下降し、前記第１のシャッタと前記セパレータとの間に第２のシャッタを挿入し、前記セパレータを初期位置に復帰する第６工程と、この第６工程の後、前記第２のシャッタを下降させ前記バックアッププレートに集積された第１の排除紙葉類を前記収納庫に押し込むと共に、前記第１のシャッタを初期状態に復帰する第７工程と、を備え、第7工程の後、続けて処理する第２の紙葉類群が有る場合には、前記第１の工程から第7の工程を繰り返すことを特徴とする。
【発明の効果】
【００１８】
本発明によれば、区分カードを集積羽根車に直接供給することができるため、セパレータが１段階でよくなり、セパレータの軽量化ははかれるので、セパレータの高速動作が可能になるだけでなく、超寿命化に効果がある。
【発明を実施するための最良の形態】
【００１９】
以下、図面を参照して本発明の実施例を説明する。
【実施例１】
【００２０】
図１は、本発明の実施例による紙葉類処理装置１の概略構成図である。紙葉類処理装置１は、有価証券などの紙葉類Ｐの真偽又は正損を判別し、正券は紙葉類集積装置３０、３１、に集積し、偽券又は判別不能券は排除券集積装置３３に集積し、損券は紙葉類裁断装置６０で裁断し、裁断片を収納箱（図示しない）に収集する装置である。
【００２１】
上記紙葉類処理装置１には、積載された紙葉類Ｐを一括して供給する供給部１０が設けられている。この供給部１０に積載された紙葉類Ｐは、取出ローラ１０Ａによって一定間隔で１枚ずつ取り出され、搬送路（搬送手段）２０に供給される。この取出ローラ１０Ａは、１回転するごとに紙葉類Ｐを１枚取り出す。この搬送路２０は、搬送ローラ（図示しない）と搬送ベルト（図示しない）で構成され、紙葉類Ｐを搬送方向上流から下流に向かって搬送する。
【００２２】
さらに、この取出ローラ１０Ａの取出回転を検知する取出ローラ検知センサ（取出ローラ検知手段）ＳＣ１０が設けられている。従って、取出ローラ検知センサＳＣ１０は、取出ローラ１０Ａが１回転するごとに１回暗になるセンサである。
【００２３】
このようにして、取出ローラ１０Ａによって供給部１０から供給された紙葉類Ｐは紙葉類判別部（紙葉類判別手段）５０によって判別される。紙葉類判別部５０は、紙葉類Ｐの物理的特性を検知して判別するもので複数の紙葉類判別装置５２Ａ〜５６で構成されており、搬送方向下流に向かって搬送路２０に沿って設けられている。また、これら紙葉類判別装置５２Ａ〜５６の判別結果に基づいて正券と判別された紙葉類Ｐを集積する紙葉類集積装置３０、３１、損券と判別された紙葉類Ｐを裁断する紙葉類裁断装置６０、偽券又は判別不能券などの排除券を集積する排除券集積装置３３が設けられている。
【００２４】
取出検知部５１は、供給部１０から供給された紙葉類Ｐの取出状態を検知し検知結果を制御部２に通知する。この取出状態の検知結果が、例えば、複数枚取り出し、搬送ピッチ詰まりなどの場合は、搬送方向下流に搬送して処理する振分ゲートで振り分けられないなどの障害が発生しやすいため、取出異常を制御部２に通知する。制御部２は、この取出異常の通知を受信し、当該紙葉類Ｐの搬送方向を振り分ける振り分けゲートＧ４０を左に回動することによって当該紙葉類Ｐを搬送路２１に沿って搬送させ排除券集積庫３４に集積する。この排除券集積庫３４に集積された紙葉類Ｐは再供給することが可能である。
【００２５】
紙葉類判別部５０によって排除された紙葉類Ｐは、搬送路２２及び区分搬送する搬送手段としての搬送路２６に沿って搬送され、排除券集積装置３３によって集積される。
【００２６】
紙葉類判別装置５２Ａ、５２Ｂは、紙葉類Ｐの券種判別又は正損判別機能を有している。券種判別は、紙葉類Ｐが例えば日本国紙幣の場合は千円、２千円、５千円、万円からなる金種と搬送状態（正立／倒立、表／裏）を判別する。また、正損判別は紙葉類Ｐが正券か損券かを判別し、判別結果を制御部２に通知する。
【００２７】
紙葉類判別装置５３は、紙葉類Ｐの形状検知機能を有しており、紙葉類Ｐの長さ、幅、穴、破れなどを検知し検知結果を制御部２に通知する。当該紙葉類Ｐの長さ、幅が指定券種の設定値を超える場合は排除券となる。また、当該紙葉類Ｐの穴、破れ、切れなどが設定値を超える場合は損券となる。
【００２８】
紙葉類判別装置５４Ａ、５４Ｂは、紙葉類Ｐの磁気検知機能を有しており、紙葉類Ｐの磁性体量を検知し検知結果を制御部２に通知する。当該紙葉類Ｐの磁性体量が設定値を超える場合、又は当該紙葉類Ｐの所定の箇所に所定の磁性体量が存在しない場合は排除券となる。
【００２９】
紙葉類判別装置５４Ｃ、５４Ｄは、紙葉類Ｐの蛍光検知機能を有しており、紙葉類Ｐの蛍光体量を検知し検知結果を制御部２に通知する。当該紙葉類Ｐの蛍光体が設定値を超える場合、又は当該紙葉類の所定の箇所に所定の蛍光体量が存在しない場合は排除券となる。
【００３０】
紙葉類判別装置５５は、紙葉類Ｐの厚さ検知機能を有しており、紙葉類Ｐの厚さを検知し検知結果を制御部２に通知する。当該紙葉類Ｐの厚さが設定値を超える場合は排除券となる。
【００３１】
紙葉類判別装置５６は、テープ貼り検知機能を有しており、紙葉類Ｐに張り付いたテープを検知する。テープ貼りの大きさが設定値以内であれば損券となり、設定値を超える場合は排除券となる。
【００３２】
上記紙葉類判別装置５２Ａ〜５６の処理の結果、正券は紙葉類集積装置３０、３１に搬送され、損券は紙葉類裁断装置６０に搬送され、排除券は排除券集積装置３３に搬送される。
【００３３】
紙葉類集積装置３０、３１は同様に構成されているため、ここでは紙葉類集積装置３０の説明を行う。なお、排除券集積装置３３には、区分カード供給装置（区分カード供給装置）３５が備えられているが、それ以外の部分は紙葉類集積装置３０、３１と同様である。
【００３４】
紙葉類集積装置３０には、集積羽根車３０Ａ、一時集積庫３０Ｂ、集積羽根車検知センサＳＣ３０が設けられている。
【００３５】
集積羽根車３０Ａは、複数の羽根が回転軸の周辺に組み込まれており、搬送されてきた紙葉類Ｐを羽根と羽根の間で受け取れるように紙葉類Ｐの搬送に同期して回転している。
【００３６】
一時集積庫３０Ｂには、上記紙葉類判別装置５２Ａ〜５６の処理の結果正券と判別された紙葉類Ｐの最初の１００枚が集積される。このときは、振り分けゲートＧ３０が右に回動され、当該紙葉類Ｐは搬送路２３を搬送されて集積羽根車３０Ａを備えた紙葉類集積装置３０の一時集積庫３０Ｂに集積される。１００枚目の通過と共に、振り分けゲートＧ３０を左側に回動し紙葉類Ｐが続けて集積されるのを防止すると共に、振り分けゲートＧ３１を右側に回動し、続けて搬送される１０１枚以降の正券の紙葉類Ｐを紙葉類集積装置３１に搬送するようにする。
【００３７】
上記紙葉類集積装置３０の一時集積庫３０Ｂに集積された正券１００枚の束は、施封装置４０に渡されて施封される。同様に、紙葉類集積装置３１の一時集積庫３１Ｂに集積された正券が１００枚に達すると、続けて搬送される１０１枚以降の正券の紙葉類Ｐを紙葉類集積装置３０に搬送するようにし、集積された正券１００枚は施封装置４１に渡されて施封される。このようにして把が形成される。
【００３８】
なお、集積羽根車３０Ａの羽根は、集積羽根車検知センサＳＣ３０によって検知され、搬送路２３から繰り出される紙葉類Ｐのタイミングに合わせて、当該羽根車３０Ａの羽根と羽根の概略中央でこの紙葉類Ｐを取り込むように集積羽根車３０Ａの回転位置及び速度が設定される。
【００３９】
図２は、本発明の排除券集積装置３３の概略構成図である。また、図３は、排除券Pｒ又は区分カードＰｃをミニシャッタ３３Ｃ・３３Ｃに集積する部分の詳細図である。以下、図２及び図３を参照して排除券集積装置３３の構成を説明する。
【００４０】
排除券Ｐｒは、紙葉類判別部５０によって排除され、搬送路２６により排除券集積装置３３に搬送される。
【００４１】
排除券集積装置３３には、上記紙葉類集積装置３０と同様に構成された集積羽根車３３Ａ、この集積羽根車３３Ａに区分カードＰｃを供給する区分カード供給部（区分カード供給手段）３５、排除券Ｐｒを安全に区分するためのセパレータ３４、区分された排除券Ｐｒを集積する一時集積庫３３Ｂ、この一時集積庫３３Ｂに集積された排除券Ｐｒを区分カードＰｃによって区分し束単位ごとに収納するカセット（収納庫）３３Ｅ、及びこの排除券集積装置を制御する区分制御装置（区分制御手段）３６が備えられている。
【００４２】
この一時集積庫３３Ｂには、集積羽根車３３Ａから落下する排除紙葉類（区分カードＰｃ及び排除Ｐｒ）を集積するミニシャッタ（第１のシャッタ）３３Ｃ・３３Ｃが設けられている。このミニシャッタ３３Ｃ・３３Ｃは、観音開き可能な門扉状に開閉動作が可能に構成され、閉状態のとき、このミニシャッタ３３Ｃ・３３Ｃの上に上記排除紙葉類が集積される。
【００４３】
また、この一時集積庫３３Ｂとカセット３３Ｅの間には、上下移動可能なシャッタ３３Ｆ・３３Ｆが設けられ、排除紙葉類の出入りを許可又は禁止することができる。
【００４４】
区分カード供給部３５には、区分カードＰｃを供給する供給部３５Ａ及びこの供給部３５Ａに供給された区分カードＰｃを束処理ごとに１枚取出す取出部３５Ｂが備えられている。
【００４５】
カセット３３Ｅ内にバックアッププレート３３Ｄが設けられ、その上部にシャッタ（第２のシャッタ）３３Ｆ、３３Ｆが設けられている。このバックアッププレート３３Ｄの側面には滑り止め機構（ラッチ機構）が設けられており、集積方向上部から下部に向かって押圧力を加えることによって下方に移動させることができる。従って排除紙葉類が集積されただけでは下方に移動することなく、本実施例では、バックアッププレート３３Ｄ上に集積された排除紙葉類の上からシャッタ３３Ｆを下降して押し込むことにより排除紙葉類をカセット３３Ｅに収納することができる。
【００４６】
なお、上記バックアッププレート３３Ｄの滑り止め機構は解除することによって滑り止め機能を停止することができるが、本発明の主旨と違うため、詳細な説明を省略する。なお、上記セパレータ３４及びシャッタ３３Ｆの動作の詳細は後述する。
【００４７】
以上の構成において、図３（１）は、ミニシャッタ３３Ｃ・３３Ｃを開いた状態を示しており、このミニシャッタ３３Ｃ・３３Ｃの上に集積された排除紙葉類が落下する状態を示している。このときには、先に処理した束の排除紙葉類と後に処理した束の排除紙葉類が混在するのを防止するために、セパレータ３４がミニシャッタ３３Ｃ・３３Ｃの上に配置される。当然ながらこのときにはシャッタ３３Ｆ・３３Ｆは開状態になっている。
【００４８】
図３（２）は、ミニシャッタ３３Ｃ・３３Ｃを閉じた状態を示しており、このミニシャッタ３３Ｃ・３３Ｃの上に区分カードＰｃが集積された状態を示している。このときには、セパレータ３４が下降し、ミニシャッタ３３Ｃ・３３Ｃとセパレータ３４との間にできた空間にシャッタ３３Ｆ・３３Ｆが挿入される。図はこの状態を示しており、この動作によって、第１の排除紙葉類に、続けて処理される第２の紙葉類群から区分された第２の排除紙葉類が混在するのを防止する効果を補強する。
【００４９】
図４は、上述した排除券集積装置３３の動作を説明する図である。
【００５０】
排除券集積装置は区分制御装置３６によって制御される。以下、１束（例えば１０００枚）が紙葉類処理装置１の供給部１０に供給され、処理された場合について説明する。
【００５１】
図４（１）は、紙葉類処理装置１の処理開始直後の状態である。ミニシャッタ３３Ｃ・３３Ｃは、初期状態には閉状態となっている。最初に区分カードＰｃ１が区分カード供給部３５から１枚取出されて集積羽根車３３Ａに供給される。この供給された区分カードＰｃ１は、集積羽根車３３Ａの回転により一時集積庫３３Ｂに設けられたミニシャッタ３３Ｃ・３３Ｃ上に集積される（第１工程）。
【００５２】
次に、続けて搬送された排除券Ｐｒが区分カードＰｃ１の上に集積される。処理した１束の紙葉類の中からにさらに検出された排除券Ｐｒは、上記排除券Ｐｒの上に集積される（図４（２）、第２工程）。
【００５３】
このようにして、１束の処理が終了すると、ミニシャッタ３３Ｃ・３３Ｃが開になり、ミニシャッタ３３Ｃ・３３Ｃに集積された排除紙葉類（区分カードＰｃ１及び排除券Ｐｒ）がカセット３３Ｅに設けられたバックアッププレート３３Ｄの上に落下する（第３工程）。同時に集積羽根車３３Ａとミニシャッタ３３Ｃ・３３Ｃの間にセパレータ３４を挿入し、かつミニシャッタ３３Ｃ・３３Ｃを閉にする（図４（３）、第４工程）。このセパレータ３４は、次の束の処理を行う際に、次の束の排除紙葉類（第２の排除紙葉類）と、前の束の排除紙葉類（第１の排除紙葉類）を分離するために用いられる。
【００５４】
次に、セパレータ３４の上に区分カードＰｃ２を区分カード供給部３５から１枚供給する。供給された区分カードは集積羽根車３３Ａによってセパレータ３４の上に集積される。なお、この区分カードは、束の処理を開始する運転開始釦（図示しない）が押下され、所定の初期化処理が終了した後に集積羽根車３３Ａとの同期をとりながら挿入される。集積羽根車３３Ａの羽根はセンサＳＣ３３で監視され、区分カードが羽根と羽根の間に挿入するように制御される（第５工程）。このようにすることによって、従来設けていた区分カードとシャッタを挿入するためのセパレータを２段構造から１段構造にすることができ、軽量化が可能になる。また、セパレータの軽量化によって高速動作が可能になる。
【００５５】
次に、セパレータ３４を降下し、このセパレータ３４とミニシャッタ３３Ｃ・３３Ｃとの間にシャッタ３３Ｆ・３３Ｆを挿入する（図４（４）、第６工程）。このシャッタ３３Ｆ・３３Ｆによって第１の排除紙葉類に第２の排除紙葉類が混入するのを防止することができる。また、このシャッタ３３Ｆ・３３Ｆが設けられたことによって、カセット３３Ｅに収納された排除紙葉類を外部から容易にアクセスすることができなくなり、セキュリティ性が向上する。
【００５６】
次に、挿入されたシャッタ３３Ｆ・３３Ｆを下降してバックアッププレート３３Ｄに集積された第１の排除紙葉類をカセット３３Ｅに押し込む（図４（５）、第７工程）。
【００５７】
このようにして、第２の紙葉類群に係る１束の処理が終了すると、ミニシャッタ３３Ｃ・３３Ｃが開になり、ミニシャッタ３３Ｃ・３３Ｃに集積された第２の排除紙葉類（区分カードＰｃ２及び排除券Ｐｒ）がカセット３３Ｅに設けられた第１の排除紙葉類の上に落下する（図４（６））。このようにして第１の排除紙葉類及び第２の排除紙葉類の処理が終了する。続けて処理する紙葉類群が有る場合には上述した処理が繰り返される。
【００５８】
本実施例では、このシャッタ３３Ｆ・３３Ｆはカセット３３Ｅの排除紙葉類の投入口の中央に対して開閉する方法を用いているが、これに限らず、一方向から進退する方法であってもかまわない。
【００５９】
この押し込み操作の後セパレータ３４は、初期位置に復帰し、シャッタ３３Ｆ・３３Ｆを押下することによって排除紙葉類をさらにカセット３３Ｅの内部に押し込む。
【００６０】
次に、続けて搬送された排除券Ｐｒは、供給された区分カードＰｃ２の上に集積される(図４（５））。
【００６１】
このようにして、１束の処理が終了すると、ミニシャッタ３３Ｃ・３３Ｃが開になり、このミニシャッタ３３Ｃ・３３Ｃに集積された排除紙葉類（区分カードＰｃ２、排除券Ｐｒ）は、先に集積された排除紙葉類（区分カードＰｃ１、排除券Ｐｒ）の上に落下する。この後は上述したとおりセパレータ３４が挿入され同様の操作が繰り返される（図４（６））。
【００６２】
本実施例では、シャッタ３３Ｆ・３３Ｆが閉状態のときには、これら２枚の板状体を両側面から中央に向かって移動する場合を示したが、これに限定するものではなく、上述したように、１枚の板状体が左右又は奥の面の何れかの方向から挿入する構成であっても本発明の効果は変わらない。
【００６３】
以上説明したように、区分カードを羽根車集積装置に直接投入することにより、排除券Ｐｒと区分カードＰｃの同期がとれ、確実に区分できるため、セパレータが１段でよくなり、セパレータの軽量化ができるため、セパレータの高速動作が可能になるだけでなく、超寿命化に効果がある。また、本実施例では、第１の排除紙葉類と第２の排除紙葉類の混在を防止するために、各工程において２重シャッタ構造をとることができるように構成してあり、第１の排除券と第２の排除紙葉類の区分を確実に行うことができる。
【００６４】
なお、本実施例ではシャッタ３３Ｆ・３３Ｆを用いた場合を説明したが、ミニシャッタ３３Ｃ・３３Ｃによって区分カードＰｃを受けることが可能になることから、シャッタ３３Ｆ・３３Ｆを用いない場合であっても先に処理した束に対する排除券Ｐｒと後に処理した束の排除券Ｐｒの区分を行うことが可能なことはいうまでもない。
【図面の簡単な説明】
【００６５】
【図１】本発明の実施例１による紙葉類処理装置の概略構成図。
【図２】本発明の排除券集積装置の概略構成図。
【図３】排除券又は区分カードをミニシャッタに集積する部分の詳細図。
【図４】本発明の排除券集積装置の動作を説明する図。
【図５】従来の排除券集積装置の動作を説明する図。
【符号の説明】
【００６６】
Ｐ  紙葉類
Ｐｒ  排除券
Ｐｃ  区分カード
１  紙葉類処理装置
１０供給部
３３  排除券集積装置
３３Ａ  集積羽根車
３３Ｂ  一時集積庫
３３Ｃ  ミニシャッタ
３３Ｄ  バックアッププレート
３３Ｅ  カセット
３３Ｆ  シャッタ
３４  セパレータ
３５  区分カード供給部
５０  紙葉類判別部
【図１】
2007310809.tif 000003
【図２】
2007310809.tif 000004
【図３】
2007310809.tif 000005
【図４】
2007310809.tif 000006
【図５】
2007310809.tif 000007